(57)【要約】  方法及びシステムは、商品及び／又は販売される商品の商品包装のロック機能、特に、リモート起動した接着ロック、を非アクティブ化する。【選択図】図２
2013544398.tif 000002
【特許請求の範囲】
【請求項１】
商品及び／又は商品包装ロック、若しくは、前記商品及び／又は商品包装に関連付けられたＥＡＳタグの存在を示す、前記商品又は商品包装に取り付けられた識別タグの存在を検出し、
識別データ情報を決定するために前記タグに問い合わせ、
前記商品及び／又は商品包装に関連付けられた前記ロック及び／又はＥＡＳタグの非アクティブ化によって、ロック解除のための手順を決定するデータベースに問い合わせ、
非アクティブ化タブレットに対して商品の相対的な配置を導くために視覚的指示を提供し、
光検出器を用いて、前記非アクティブ化タブレットに対して前記商品が正しく配置されているか否かを決定し、
前記決定の手順に従って、前記商品が正しく配置されていると判定された場合、非アクティブ化信号を発し、
前記非アクティブ化によって、前記ロックがロック解除及び／又はＥＡＳタグが停止しているか否か検出すること、
を含む方法。
【請求項２】
各ステップの性能をデータベースに記録することをさらに含む、請求項６に記載の方法。
【請求項３】
磁場内の前記商品の周波数シフトを検出し、前記周波数シフトとデータベースに格納された値を比較することによって、前記商品の存在を検証することをさらに含む、請求項６に記載の方法。
【請求項４】
商品又はその商品包装に関連付けられたエネルギー非アクティブ化ロックの位置に関連付けられた情報に符号化された商品識別タグを検出するように動作可能に構成されたリーダーと、
前記商品識別タグから情報を処理するために前記リーダーに動作可能に結合された処理装置と、
前記ロックを非アクティブ化するための手順で前記リーダーによって、取得された前記商品識別情報に関連するデータベースを収容する前記処理装置に動作可能に結合したデータ格納ユニットと、
前記ロックの非アクティブ化を可能にするエネルギーを生成するための前記処理装置に動作可能に結合されたエネルギー生成器と、
前記商品を障害なく使用することを可能にする前記エネルギー生成器によるエネルギー生成後に、前記ロックの非アクティブ化を確認するように構成された、前記処理装置に動作可能に結合された確認ユニットと、
を含むシステム。
【請求項５】
前記ロックは、リモートアクティブ化接着ロックを含む、請求項４に記載のシステム。
【請求項６】
前記確認ユニットは、生成された磁場の位相遅延及び振幅変化を測定する、請求項４に記載のシステム。
【請求項７】
入力ポート及び出力ポートを有する信号生成器と、
前記信号生成器の前記出力ポートに電気的に結合した送信アンテナと、
入力ポート及び出力ポートを有する信号検出器と、
前記信号検出器の前記入力ポートに電気的に結合した受信アンテナと、
複数の発光機器及び複数の光検出器を含むタブレットと、
前記発光機器及び前記光検出器は、直交格子として配置され、
前記信号生成器の前記入力ポート及び前記信号検出器及びデータベースシステムの前記出力ポートに電気的に結合し、前記発光機器及び前記光検出器に別々に電気的に結合したコントローラーと、
を含む装置。
【請求項８】
前記信号生成器は、前記コントローラーからの命令に応答して非アクティブ化信号又は問い合わせ信号を生成する、請求項１に記載の装置。
【請求項９】
前記信号検出器は、前記問い合わせ信号に応答して信号を受信及び復号し、前記コントローラーに検出を伝達する、請求項１に記載の装置。
【請求項１０】
前記コントローラーへの入力は、前記複数の光検出器からの信号をある程度含む、請求項１に記載の装置。
【請求項１１】
前記コントローラーからの出力は、前記複数の発光機器への駆動信号をある程度含む、請求項１に記載の装置。
【発明の詳細な説明】
【技術分野】
【０００１】
前の特許出願に対する優先権主張
本特許出願は、２０１０年１１月５日に出願された米国仮特許出願第６１／４１０６６１号の全体の開示が、参照することにより本明細書に組み込まれることに対する利益を主張する。
【０００２】
本発明は、一般に販売時点管理（point of sale:POS）で商品の購入を完了する処理におけるステップとして、商品及び商品包装に関連付けられたロック装置を非アクティブ化するための装置及び方法に関連する。
【背景技術】
【０００３】
ほぼすべての主要な小売店のレジ(check-out counters)で非アクティブ化パッド（pads）又は非アクティブ化ゾーンがある。これらのゾーンの目的は、頻繁に包装に取り付けられ、又は商品に固定された電子商品監視（ＥＡＳ）タグのようなセキュリティタグを非アクティブ化することである。一つの事例では、ＥＡＳタグはタグを消磁する交番磁界内に配置されなければならない。一旦消磁されると、タグは小売店の出入り口で感知されない。より高度な他のシステムでは、ＲＦＩＤタグが使用される。この事例では、ＲＦＩＤタグが読み取られ、タグからの情報は、ローカルデータベース又はグローバルデータベースに入力されており、情報は、頻繁に後でＲＦＩＤタグ自体に書き込まれる。
【０００４】
ＲＦＩＤは、共同所有されＰＣＴ／ＵＳ１０／３５８８及びデータベースに記載の通り、商品と商品包装に関連付けられたロック装置と組み合わせて使用できる。ＲＦＩＤに問い合わせることで、情報は、商品及び／又は商品識別子に関連付けられた特定のロック装置に関して取得されてもよい。商品ロックは、ＰＣＴ／ＵＳ１０／３５８８に記載されているように、複数の商品の機能の直接的な関連（例えば、物理的に商品が要求に合わない又は商品が使えなくなるようなコンポーネント間の電気の流れの干渉、若しくは、商品包装を固定的に密閉し続けること）によって干渉する場合がある。複数のタグが複数の購入品の周辺にある又は購入品と隣接している場合でさえも、その複数のタグから一のＲＦＩＤタグを識別できることが望ましい。
【０００５】
ＰＣＴ／ＵＳ１０／３５８８に記載のリモートアクティブ化接着（adhesive）ロックの一実施形態は、エネルギー変換装置として働く第一キャリア基板に接合され、特定のエネルギー源との衝突時に膨張する接着材料の積層板を含むリモートアクティブ化接着ロックを有する。第一キャリア基板は、例えば、接着材料の表面にエネルギーを伝導する導電性の金属板（アルミニウム、鉄、鋼、銅、金、白金の薄片等）でもよい。このようなリモートアクティブ化接着ロックでは、外部から印加される電界に第一キャリア基板をさらすことは、渦電流の流れの原因になる。渦電流は、直接又は間接的に接着剤の膨張を開始する。接着剤の膨張は、ロック機構及び導電面の動きのラッチ解除の原因になる。したがって、商品又は商品包装を介したアクセスの使用を可能にする。
【０００６】
ＰＣＴ／ＵＳ１０／３５８８に記載されているような商品又は商品包装ロックを解除するために必要とされるエネルギーのために、ＲＦＩＤは、読取元からの距離で読み取られる一方、ロックを解除するために、ロックをエネルギー源に近接させる必要があってもよい。このような場合には、特定の場所にあるＰＯＳレジに関連付けられたロック解除回路を有することが望ましい。
【０００７】
ＰＯＳレジの非アクティブ化のタブレットは、店舗から盗まれた商品と本当に購入された商品と区別できるように、非アクティブ化の対象のＥＡＳタグを認識するために過去に使用されていた。しかしながら、ＰＯＳレジの非アクティブ化タブレットは、商品及び商品包装のロックを解除するためには使用されていない。
【発明の概要】
【課題を解決するための手段】
【０００８】
実施形態では商品及び商品包装のロックを解除するためのＰＯＳレジ非アクティブ化タブレット又はパッドが設けられている。このようなタブレット／パッドは、ＲＦＩＤ、又は、商品若しくはその包装に関連付けられている他の識別タグに格納されている情報の読み取りを可能にする。ＰＯＳレジ非アクティブ化タブレットは、特定の商品及び／又は商品包装に関連付けられたロックの位置に関連する情報と、ロック解除信号に関する情報とロックを解除するために必要な条件（例えば、時間の長さ等）に関する情報とを格納する、１つ以上のデータベースに電子的に結合されてもよい。
【０００９】
特に有用なＰＯＳレジ非アクティブ化タブレットは、生成されたロック解除信号が商品及び／又は商品包装に関連付けられているロックのロック解除のために最大化されるように、静的又は動的な構造に対して固定位置の項目の迅速な配置を可能にすることを目的とするシステムと関連付けられてもよい。このようなシステムは、商品がロックの非アクティブ化を最適化するように配置させる場所を大まかに示すように配置された、例えばＬＥＤライトのような光源を含んでもよい。非アクティブ化タブレットに関する商品のよりよい配置は、例えば、問い合わせ信号の位相シフト（共振の変化による）及び／又は振幅を測定することによってロックに関連付けられた導電性材料を検出するように設計された回路により、検出されてもよい。
【００１０】
実施形態において、システムは、包装及び／又は包装の適切な配置を示すように構成された、格子状（matrix）のインジケータライトの配置を検出するように配置された、格子状（matrix）のライト検出器を含む非アクティブ化タブレット又はパッドを含む。問い合わせシステムは、内部包装に含まれている電子タグから識別情報データを照会し、受信するために使用される一方、セキュリティロックを非アクティブ化できる非アクティブ化システムと、包装を識別するのに必要なデータ及び数式を格納するデータベースを含むコンピュータシステムは、非アクティブ化及びセキュリティロックを非アクティブ化するために、包装の適切な配置を決定し、示す。
【００１１】
実施形態では、全ての回路がセットされている場合、誘導コイルへの電力継電器は、定義されている期間、アクティブ化される。処理が実行されるように作成された、複数のチェックがある。最初のチェックは、商品が前に非アクティブ化されていないことを保証することである。これは、非アクティブ化が繰り返されることによって、対象を損傷から防げ、ただし、もっと重要なことは、これは、以前正当にアクティブ化した商品を未購入商品のロック解除に使用することによって、システムをだますこと、即ち、システム無効化のための便乗、を防げることである。次のチェックは、対象商品が装置を非アクティブ化するために、対象に転送されるエネルギーの正確な量を発行するタブレットに適切に配置されることを検証することである。
【００１２】
非アクティブ化は、必要なときに誘導検出によって検証されてもよい。誘導検出は、駆動コイルのインダクタンス値に影響を与える材料の導入又は除去によって影響された出力共振回路により達成可能である。出力コイルの近くに配置されている材料は、コンテンツと誘導コイルに対する位置を示すＬＣネットワークの共振の変化の原因になる。共振は、ｆ＝１／（２πＬＣ）１／２を用いて算出されるので、コイルインダクタンス、Ｌの変化は、同調回路の共振周波数ｆを変更する。予め設定された周波数での駆動周波数を一定に保持することによって、これは駆動コイルで検出された信号のピークの変化の原因となる。この変化は位相シフトと振幅変化の両方である。即ち、共振の変化は、信号の位相シフトと振幅変化の原因となる。ピーク位相と振幅の変化を検出することは、対象の商品及び材料の状態の位置を決定するために、使用できる。発生回路から位相は、偏差が格納された状態で、誘導コイルを駆動する信号の位相と比較されてもよい。対象が誘導磁界内の場所にある場合、第二の読み取りは、信号の変化を監視する。出力駆動共振回路の整調（tuning）と離調（mistuning）に起因する信号の振幅の対応する変化もある。
【００１３】
この特性が測定可能であるので、非アクティベーターが動作する方法は、商品が適切に配置され、ピーク信号が検出されるまで、誘導コイルに送信される周波数（データベースに格納されている）が意図的に離調された(mistuned)ことである。対象商品の非アクティブ化は、共振にならないための信号を発生する。
【００１４】
非アクティベーター磁場に持ち込まれる商品の有効性は、チェックされることが好ましい。ＲＦＩＤ情報は、収集され、データベース情報と比較される。検出プレートは、商品がプレート上にターゲットライトをセットアップすることによって有効であることを示す。対象の商品が正しいターゲット領域に持ち込まれているように、誘導駆動回路によって供給される低レベルの信号が監視される。誘導磁界は、対象物の金属含有量によって影響され、回路の共振をシフトする。この信号は、位相シフト信号の振幅の変化が捕捉され、電子制御回路にフィードバックされ、シリアル通信インターフェースを介してアナログデジタル変換器を使用してコンピュータに返送される。情報が検出されると、ユニットは、高周波ＦＥＴ駆動回路をアクティブ化し、誘導コイルが商品データベースから回収された制御周波数及び電力プロファイルで定義された時間、対象の商品に向けられ集束した磁束界を駆動させる。非アクティブ化時間の後、装置は再び低レベルの信号をコイルに供給し、信号の位相と振幅を捕捉する。この情報は、商品／商品包装に関連付けられたロックが正常に非アクティブ化されたか否かを決定するために使用できる。センサープレートは、分析結果を表示する。
【００１５】
磁場は非アクティブ化タブレットに取り付けられた駆動コイルによって生成される。コイルは、対象へ及びユニットの回路から磁場を向かわせる磁束集束器により構成されてもよい。駆動コイルは、プログラマブルであり得る整調（tuning）コンデンサを使用して調整されてもよく、切替可能なコンデンサバンクとして実現されてもよい。
【００１６】
ＲＦＩＤタグのような識別タグからの商品の場所、データ取得、実際の非アクティブ化信号の制御及び送信の検出は、コントローラーボードを介して行われてもよい。コントローラーボードは、駆動周波数の正弦波の発生源とすることができ、電源駆動ボードを介してパワーＦＥＴ駆動回路を駆動してもよい。ＦＥＴ駆動回路は、指標共振回路、例えば、１５０ＶＡＣ高周波信号、を駆動し、広帯域周波数応答を有するように設計されてもよい。信号生成回路はデジタルマルチプレクサ回路を使用して、広い周波数範囲にわたって正弦波発生器によって電子的に制御されてもよい。
【００１７】
一実施形態では、（ａ）商品及び／又は商品包装ロック、若しくは、前記商品及び／又は商品包装に関連付けられたＥＡＳタグの存在を示す、前記商品又は商品包装に取り付けられた識別タグの存在を検出し、（ｂ）識別データ情報を決定するためにタグに問い合わせ、（ｃ）商品及び／又は商品包装に関連付けられたロック及び／又はＥＡＳタグの非アクティブ化によって、ロック解除のための手順を決定するデータベースに問い合わせ、（ｄ）非アクティブ化タブレットに対して商品の相対的な配置を導くために視覚的指示を提供し、（ｅ）光検出器を用いて、非アクティブ化タブレットに対して商品が正しく配置されているか否かを決定し、（ｆ）決定の手順に従って、商品が正しく配置されていると判定された場合、非アクティブ化信号を発し、（ｇ）非アクティブ化によって、ロックがロック解除及び／又はＥＡＳタグが停止しているか否か検出するステップを含む方法を開示する。このような方法は、さらに、各ステップの性能をデータベースに記録する工程を含んでもよい。この方法は、磁場内の商品の周波数シフトを検出し、周波数シフトとデータベースに格納された値を比較することにより、商品の存在を検証するステップを含んでもよい。
【００１８】
さらなる実施形態では、商品又はその商品包装に関連付けられたエネルギー非アクティブ化ロックの位置に関連付けられた情報に符号化された商品識別タグを検出するように動作可能に構成されたリーダーと、商品識別タグから情報を処理するためにリーダーに動作可能に結合された処理装置と、ロックを非アクティブ化するための手順でリーダーによって、取得された商品識別情報に関連するデータベースを収容する前記処理装置に動作可能に結合したデータ格納ユニットと、ロックの非アクティブ化を可能にするエネルギーを生成するための処理装置に動作可能に結合されたエネルギー生成器と、商品を障害なく使用することを可能にするエネルギー生成器によるエネルギー生成後に、ロックの非アクティブ化を確認するように構成された、処理装置に動作可能に結合された確認ユニットと、を含むシステムが開示されている。ロックは、リモートアクティブ化接着ロックを含んでもよい。確認ユニットは、生成された磁場内の位相遅延及び振幅変化を測定してもよい。
【００１９】
他の実施形態では、入力ポート及び出力ポートを有する信号生成器と、信号生成器の出力ポートに電気的に結合した送信アンテナと、入力ポート及び出力ポートを有する信号検出器と、信号検出器の入力ポートに電気的に結合した受信アンテナと、複数の発光機器及び複数の光検出器を含むタブレットと、発光機器及び光検出器は、直交格子として配置され、信号生成器の入力ポート及び信号検出器及びデータベースシステムの出力ポートに電気的に結合し、発光機器及び光検出器に別々に電気的に結合したコントローラーを含む装置がさらに開示される。信号発生器は、コントローラーからの命令に応答して非アクティブ化信号又は問い合わせ信号を生成してもよい。信号検出器は、問い合わせ信号に応答して信号を受信及び復号し、コントローラーに検出を伝達してもよい。コントローラーへの入力は、複数の光検出器からの信号をある程度含んでもよい。コントローラーからの出力は、複数の発光機器への駆動信号をある程度含んでもよい。
【図面の簡単な説明】
【００２０】
本明細書に組み込まれ、明細書の一部を形成する添付の図面は、本発明の実施形態のいくつかの態様を例示し、説明とともに、実施形態を説明するために貢献する。
【図１】実施形態ＰＯＳレジ非アクティブ化タブレットを使用して、それに関連するロックを有する商品の非アクティブ化を示す。
【図２】本実施形態ＰＯＳレジ非アクティブ化タブレットシステムのブロック図を示す。
【図３】商品及び/又は商品包装が結合されているロックの非アクティブ化において用いてもよい非アクティベーターシステムのフローチャートを示す。
【発明を実施するための形態】
【００２１】
図１に示された実施形態では、システムは、ロック５０を含む商品４０が正しくロック５０を非アクティブ化するために配置される必要がある局所磁場が生成される非アクティブ化ゾーンを生成する。商品４０は、さらにＲＦＩＤ又は商品４０を識別できる他の識別タグ５１と結合される。識別は、例えば、固有のシリアル番号の識別情報、商品コード、及び他のデータを提供できるＲＦＩＤタグ５０に記憶されたデータを読み出すことによって達成されてもよい。ＲＦＩＤ５０から読み出されたデータは、包装及び他の関連情報以外にロック又はタグのオフセット位置情報を返すリモートデータベースにアクセスするために使用されてもよい。これは、セキュリティタグ５０を非アクティブ化するレジで適切な商品の配置を決定するために使用される。
【００２２】
図１に示すように、本実施形態では、レジ又は非アクティブ化タブレット１０は、ＬＥＤの直交格子（発光ダイオード）及び／又は商品が配置されるべき総面積を用意するために有用なフォトダイオード２０を含む。従来問い合わせ処理の初期状態では、発光ダイオード２０の全ては黄色で点灯している。包装タグ５０の成功の問い合わせに応じて、包装４０の適切な配置を示すＬＥＤ２０が注意を集めるために点灯し、点滅する。
【００２３】
レジ台に位置する、光検出器及び／又はダイオード３０の対応するセットは、包装４０の配置を検出するために使用される。光検出器３０は、検出された光パターンが包装４０がＬＥＤ照明領域内で照明領域外ではなく適切な検出器３０を隠すために、適切に配置されたことを示すまで、ポーリングされ、又は読み取られる。商品４０が適切に位置調整されている場合、オペレータは、例えば、赤色と黄色のライトに、交互の色の変化によって包装４０の移動を停止するように合図される。包装４０は、所定のわずかな時間遅延のため動いていないことを確認するために監視される。ＲＦＩＤ５０は正当な商品が存在することを確認するために再度読み込まれてもよい。ＲＦ結合（低周波数又は高周波数）の程度は、商品４０に対して測定されてもよい。これは、磁場内の商品の周波数シフトを検出し、包装された商品のデータベースの値と比較することによって行ってもよい。留意すべきは、結合が固ければ固いほど共振の周波数シフトも大きくなることである。例えば、タブレット上の商品に関連付けられた位相差及び振幅変化の決定後、チェックのすべてがパスされた場合、商品及び／又は商品包装ロックは、商品を最初に識別してから返されたデータベースの検索結果によるパラメータを利用して非アクティブ化される。ロック解除信号が適切にロックを非アクティブ化することは、非アクティブ化後の位相変化／振幅変化を測定し、ロック解除に関連付けられ格納されたパラメータと比較することによって決定されてもよい。商品４０が正常に非アクティブ化されるとライト又はＬＥＤ２０が緑色に点灯し、商品がリリースされたことを示す。
【００２４】
成功した非アクティブ化は、非伝達（non transmitting）を解釈する（rendering）ＲＦＩＤ５０からアンテナの切断を行うことによって、又は、磁場から包装を取り除くことによって、修正されるＲＦＩＤ５０の機能の状態変化を測定することによって決定できる。成功した非アクティブ化は、商品に結合された高周波電界を監視することによって検出されてもよい。高周波電界結合は、距離、磁性材料の含有量、導電性材料コンテンツ、及び方向に敏感である。商品が非アクティブ化されたとき、非アクティブ化処理は、結合の弱まりを示す共振周波数の変化の原因となる励振源からコンデンサの距離のわずかな変化を生み出す。この量は、期待値又は最小の限度を基準に、成功した非アクティブ化を示している。デザインは、ＬＦ及びＵＨＦ  ＲＦＩＤタグの両方を読み取れるように作成される。これは、システムを利用できる商品の範囲を拡大する。
【００２５】
図２は、本実施形態ＰＯＳレジ非アクティベータータブレットシステムを示すブロック図である。ＰＯＳレジ非アクティベータータブレット１２５は、メインコントローラー１５０によって、例えば、制御されてもよい。メインコントローラー１５０は、ＲＦＩＤ１４０を作動し、ＲＦＩＤ１４０に記憶された商品識別情報を受信する。また、代わりに、メインコントローラー１５０は、商品及び／又は商品包装上に符号化されたバーコードからバーコードリーダー１３０によって読み取られた、他又は代替の情報源のための商品識別情報を受信してもよい。メインコントローラー１５０は、タブレット上の商品の位置と同様に、フォトダイオードの位置センサー１１０を介してタブレット上の商品の所定の検出位置についても一般的なガイドを提供するために、ＬＥＤ位置センサー１２０をセットしてもよい。誘導磁界発生器１６０と誘導場センサー１７０を介して、メインコントローラー１５０は、ロックが適切に非アクティブ化されたか否かをリモートデータベース１９０（その代替として近位に格納されてもよい）に記憶されたデータから決定するために、ロックされ、ロック解除された状態で商品に関連付けられた位相と振幅の変化を決定するようにセットされてもよい。磁場は、ユニットの回路から磁場を直接対象に向ける磁束集束装置に内蔵されたＬＥＤプレートに取り付けられた駆動コイル（図示せず）を用いて生成されてもよい。メインコントローラー１５０は、ＰＯＳレジ１８０が商品の販売に関してアクティブ化される前にロック解除された状態を決定してもよく、又は、ＰＯＳレジ１８０が商品の販売に関してアクティブ化された後、ロック解除を開始してもよい。
【００２６】
図３は、本実施形態の非アクティブ化タブレットシステムの動作のフロー図の一実施形態を示す。ＲＦＩＤタグはステップ２００を読み取り、ステップ２１０で検証された場合に、その動作が開始される。ＲＦＩＤが無効な場合、警告「無効なディスプレイ」ステップ２２０が作動する。ＲＦＩＤタグから入手可能な商品情報は、商品番号（ステップ２７０）が有効であるか否かを判断する商品データベースステップ２４０と比較される。その商品番号が有効でない場合は警告「無効なディスプレイ」ステップ２２０が作動する。その商品番号が有効である場合は、ステップ２６０は、非アクティベーターデータベース２３０から取得したロックの非アクティブ化コントロールをセットアップする（ステップ３００）ために、及び、店舗の在庫２５０が販売される商品のために借方記入するために、必要な情報／数式を取得するように作動する。情報／数式は、例えば、非アクティブ化に使用される周波数、振幅（電力駆動）、及び誘導コイルがロックの非アクティブ化中にアクティブ化されるまでの時間から構成されてもよい。この組み合わせは、非アクティベーター装置の種類ごとに異なる。有効な商品番号が検出されると、式がテーブルから引き出され、制御回路の各々は、コンピュータによってセットアップされる。有効な商品番号の決定は、アクティブ重複表示ステップ２９０によって示された、前の非アクティブ化が検出されない限り、商品／商品包装ロックの非アクティブ化のために必要な待機時間（ステップ２８０）の検索もセットアップする。
【００２７】
タブレットで商品／商品包装を配置する際に、アクティブ化セットアップコントロールステップ３００が実行される。制御ステップにおいて、商品／商品包装材の位置決めのためのターゲットライトは、ロックの最適な非アクティブ化を保証するために適切な商品配置（ステップ３６０）を確保するために監視される他のセンサーと商品に関して（ステップ３１０）セットアップされる。非アクティブ化パラメータは、周波数（ステップ３２０）、電力プロファイル（ステップ３３０）と時間（ステップ３４０）をセットすることによって、ステップ３００でセットされる。非アクティブ化前後（ステップ４００）で、位相シフト（ステップ３７０）、振幅（ステップ３８０）／電源（ステップ３９０）の磁場は、非アクティブ化が処理されたデータベース４４０に送られる非アクティブ化情報のロックを適切に解除したか否か決定するために比較される（ステップ４１０）。もし、比較（ステップ４１０）は、非アクティブ化前後の差分がある一定範囲内であることを示す場合、成功（ステップ４２０）は、トランザクション及び処理を検証し（ステップ４３０）、キャッシュレジ（ステップ４８０）は、検証が送信され、「アクティブ化完了」（ステップ４７０）を表示し、非アクティブ化は、完了する（ステップ４９０）。他方で、比較（ステップ４１０）が、成功しない場合、「失敗」表示が作動し（ステップ４６０）、商品は、非アクティブ化を再度アクティブにするには、適切な待機時間を待ってから、もう一度非アクティブ化されなければならない（ステップ４５０）。
【００２８】
本発明の好ましい実施形態に関して説明してきたが、当業者は、様々な変更及び／又は修正が添付の特許請求の範囲によって定義される本発明の精神又は範囲から逸脱することなく本発明に対してなされ得ることを容易に理解するであろう。本明細書に引用した全ての文献は、追加又は代替の詳細、特徴及び／又は技術的背景の適切な内容の箇所を参照することにより本明細書に組み込まれる。
【図２】
2013544398.tif 000003
【図３】
2013544398.tif 000004
2013544398.tif 000005
2013544398.tif 000006
2013544398.tif 000007
【国際調査報告】
2013544398.tif 000008
2013544398.tif 000009